(57)【要約】【課題】永久磁石モータの損失を抑えること。【解決手段】ステータコアとして積層鋼板製のものを使用した。この積層鋼板の飽和磁束密度は永久磁石７５の磁気動作点の磁束密度に比べて高いので、永久磁石７５の軸方向の高さ寸法Ｂがティース３２の同方向の寸法Ａに比べて大きくても鎖交磁束の減少が抑えられる。このため、コイル３６の周長を短縮することができるので、銅損が低減される。しかも、圧粉鉄心製のヘッド部４５をティース３２および永久磁石７５相互間に介在したので、ステータコアの積層面に対して垂直な方向の磁束がヘッド部４５を流れるようになる。このため、コイル３６の銅損に加えてステータコアの鉄損が低減されるので、総じて永久磁石モータの損失が抑えられる。【選択図】図４
2008245362.tif 000002
【特許請求の範囲】
【請求項１】
鋼板を積層することから構成された電機子コアおよび電機子コアに巻装された電機子コイルを有する電機子と、
前記電機子に対して相対的に回転可能に設けられたものであって、界磁用の複数の永久磁石を有する界磁子と、
前記複数の永久磁石のそれぞれと前記電機子コアとの間で生成される磁気回路中に介在されたものであって、磁性材からなる原料粉を加圧成形することから構成された複数の圧粉コアを備え、
前記複数の永久磁石のそれぞれは、軸方向の高さ寸法が前記電機子コアのうち前記電機子コイルが巻装された巻線部の同方向の寸法に比べて大きく設定されていることを特徴とする永久磁石モータ。
【請求項２】
前記複数の圧粉コアのそれぞれは、前記電機子および前記界磁子相互間の空隙に接するように前記電機子に固定されていることを特徴とする請求項１に記載の永久磁石モータ。
【請求項３】
前記複数の圧粉コアのそれぞれは、前記電機子および前記界磁子相互間の空隙に接するように前記界磁子に固定されていることを特徴とする請求項１に記載の永久磁石モータ。
【請求項４】
前記界磁子は、前記複数の永久磁石のそれぞれが埋め込まれた界磁コアを有するものであり、
前記複数の圧粉コアのそれぞれは、前記界磁コア内に前記永久磁石よりも前記電機子側に位置するように埋め込まれていることを特徴とする請求項１に記載の永久磁石モータ。
【請求項５】
洗濯物が投入されるドラムと、
前記ドラムを回転操作するドラムモータを備え、
前記ドラムモータとして、請求項１〜４のいずれかに記載の永久磁石モータが使用されていることを特徴とする洗濯機。
【発明の詳細な説明】
【技術分野】
【０００１】
本発明は、永久磁石を界磁に使用する永久磁石モータおよび永久磁石モータの性質を利用した洗濯機に関する。
【背景技術】
【０００２】
上記永久磁石モータには鋼板を積層してなる積層鋼板製の電機子コアに電機子コイルを巻装した構成のものがある。この積層鋼板に磁束が鋼板相互間の積層面に対して平行に流れる場合には鋼板の表面に施された絶縁層によって渦電流の発生が阻害され、磁束が積層面に対して垂直に流れる場合には鋼板の絶縁層に対して平行に渦電流路が形成される。このため、磁束が積層面に対して平行に流れる場合の鉄損Ｐｐと積層面に対して垂直に流れる場合の鉄損Ｐｖ相互間の関係は「Ｐｐ＜Ｐｖ」となる。
【特許文献１】特開２００５−８０４３２号公報
【発明の開示】
【発明が解決しようとする課題】
【０００３】
特許文献１には電機子コアの全体を圧粉コアから構成することが記載されている。この圧粉コアは絶縁層が形成された原料粉を加圧成形することから構成されているので、３次元方向全てに概ね等方性となる。この圧粉コアの鉄損Ｐｃと積層鋼板の鉄損Ｐｐと積層鋼板の鉄損ｐｖは相互に「Ｐｐ＜Ｐｃ＜Ｐｖ」の関係になる。これら鉄損Ｐｃ〜鉄損ｐｖのそれぞれは相互に同一な交流磁界に置かれたときに渦電流等の発生に起因して熱に変換されるエネルギー量を称するものであり、電機子コアの全体を圧粉コアから構成したときには電機子コアの全体を積層鋼板から構成する場合に比べて磁気抵抗が大きくなるので、鉄損が増大することに基づいて永久磁石モータの損失が大きくなる。
【０００４】
本発明は上記事情に鑑みてなされたものであり、その目的は、損失の増大を抑えることができる永久磁石モータを提供することにある。
【課題を解決するための手段】
【０００５】
本発明の永久磁石モータは、鋼板を積層することから構成された電機子コアおよび電機子コアに巻装された電機子コイルを有する電機子と、前記電機子に対して相対的に回転可能に設けられたものであって界磁用の複数の永久磁石を有する界磁子と、前記複数の永久磁石のそれぞれと前記電機子コアとの間で生成される磁気回路中に介在されたものであって磁性材からなる原料粉を加圧成形することから構成された複数の圧粉コアを備え、前記複数の永久磁石のそれぞれは軸方向の高さ寸法が前記電機子コアのうち前記電機子コイルが巻装された巻線部の同方向の寸法に比べて大きく設定されているところに特徴を有している。
【発明の効果】
【０００６】
電機子コアとして積層鋼板製のものを使用している。この積層鋼板の飽和磁束密度は永久磁石の磁気動作点の磁束密度に比べて高いので、永久磁石の軸方向の高さ寸法が電機子コアの巻線部の同方向の寸法に比べて大きくても鎖交磁束の減少が抑えられる。このため、電機子コアの巻線部に巻回される電機子コイルの周長を短縮することができるので、銅損が低減される。しかも、界磁子の永久磁石および電機子の巻線部相互間に圧粉コアが介在されているので、電機子コアの鋼板相互間の積層面に対して垂直な方向の磁束が圧粉コアを流れるようになる。このため、電機子コイルの銅損に加えて電機子コアの鉄損が低減されるので、総じて永久磁石モータの損失が抑えられる。
【発明を実施するための最良の形態】
【０００７】
［実施例１］
外箱１は、図１に示すように、前面に貫通孔状の出入口２を有するものであり、外箱１の内部には水受槽３が収納されている。この水受槽３は後面が閉鎖された有底な円筒状をなすものであり、水受槽３の後面にはドラムモータ４が装着されている。このドラムモータ４の回転軸５は水受槽３の内部に突出しており、回転軸５にはドラム６が回転不能に固定されている。このドラム６は後面が閉鎖された有底な円筒状をなすものであり、水受槽３の内部に水受槽３に対して同心状に収納されている。このドラム６はドラムモータ４が駆動することに基づいて回転軸５と一体的に回転するものであり、ドラム６には空気および水のそれぞれが流通可能な複数の流通孔７が形成されている。このドラムモータ４は永久磁石モータに相当するものである。
【０００８】
外箱１にはドア８が装着されている。このドア８は出入口２を閉鎖する閉鎖状態および出入口２を開放する開放状態相互間で軸を中心に回動可能にされたものであり、洗濯物はドア８の開放状態で出入口２と水受槽３の前面とドラム６の前面を順に通してドラム６の内部に投入され、ドラム６の内部からドラム６の前面と水受槽３の前面と出入口２を順に通して取出される。外箱１の内部には給水弁９が収納されている。この給水弁９の入力ポートは水道の蛇口に接続され、給水弁９の出力ポートは水受槽３の内部空間に接続されており、水受槽３の内部空間には給水弁９が開放されることに基づいて水道の蛇口から給水弁９を通して水道水が注入される。この水受槽３には排水ホース１０が接続されており、排水ホース１０には排水弁１１が介在されている。この排水弁１１は開放状態および閉鎖状態相互間で切換わるものであり、排水弁１１の閉鎖状態では排水ホース１０が水受槽３内の水を排出不能な閉鎖状態になり、排水弁１１の開放状態では排水ホース１０が水受槽３内の水を排出可能な開放状態になる。
【０００９】
外箱１の内部には水受槽３の下方に位置して下ダクト１２が固定されている。この下ダクト１２は前後方向へ延びるものであり、下ダクト１２の前端部は前ダクト１３を介して水受槽３の内部空間に接続されている。この下ダクト１２の後端部にはファンケーシング１４の吸気口が接続されており、ファンケーシング１４の排気口は後ダクト１５を介して水受槽３の内部空間に接続されている。このファンケーシング１４の後面にはファンモータ１６が固定されている。このファンモータ１６の回転軸にはファンケーシング１４の内部に位置してファン１７が連結されており、ファンモータ１６の運転状態ではファン１７が回転することに基づいて水受槽３内の空気が前ダクト１３から下ダクト１２内に吸引され、下ダクト１２とファンケーシング１４と後ダクト１５を順に通して水受槽３内に戻される。
【００１０】
外箱１の内部にはコンプレッサ１８が固定されている。このコンプレッサ１８の吐出口にはコンデンサ１９の入口が接続されており、コンデンサ１９の出口にはエバポレータ２０の入口が接続されている。このエバポレータ２０の出口はコンプレッサ１８の吸入口に接続されており、コンプレッサ１８の運転状態ではコンプレッサ１８の吐出口から吐出された冷媒がコンデンサ１９およびエバポレータ２０のそれぞれを順に流れる。このコンデンサ１９は下ダクト１２の内部に固定されたものであり、エバポレータ２０は下ダクト１２の内部にコンデンサ１９の前方に位置して固定されたものであり、ファンモータ１６およびコンプレッサ１８のそれぞれが運転された状態ではエバポレータ２０が水受槽３内から吸引された空気を冷却することに基づいて除湿し、コンデンサ１９が除湿後の空気を加熱することに基づいて温風化する。即ち、ファンモータ１６とファン１７とコンプレッサ１８とコンデンサ１９とエバポレータ２０はドラム６内の洗濯物に高温低湿な温風を吹付けることに基づいて洗濯物の乾燥を促進するヒートポンプ式の乾燥機構を構成するものである。
【００１１】
外箱１の前面にはドア８の上方に位置して操作パネル２１が固定されており、操作パネル２１には複数の操作スイッチが装着されている。これら複数の操作スイッチのそれぞれは前方から操作可能にされたものであり、マイクロコンピュータを主体に構成された制御回路に接続されている。この制御回路は外箱１の内部に収納されたものであり、複数の操作スイッチのそれぞれの操作内容に基づいて運転コースを設定し、ドラムモータ４と給水弁９と排水弁１１とファンモータ１６とコンプレッサ１８のそれぞれを運転コースの設定結果に応じた内容で駆動制御することに基づいて運転コースの設定結果を実行する。
【００１２】
ドラムモータ４は、図２に示すように、ステータ３０の外周部にロータ６０が回転可能に配置されたアウタロータ形の三相ＤＣブラシレスモータからなるものであり、ステータ３０およびロータ６０のそれぞれの詳細構成は次の通りである。
１．ステータ３０の説明
ステータ３０は、図３に示すように、ステータコア３１を有している。このステータコア３１は複数の珪素鋼板を軸方向に積層することから構成されたものであり、複数の珪素鋼板のそれぞれの表面には絶縁層が形成されている。この珪素鋼板は鋼板に相当するものであり、ステータ３０は電機子に相当するものであり、ステータコア３１は電機子コアに相当するものである。
【００１３】
ステータコア３１は、図３に示すように、３６個のティース３２および１個のヨーク３３を有している。このヨーク３３は軸方向へ延びる円筒状の部分を称するものであり、３６個のティース３２のそれぞれはヨーク３３から径方向へ直線状に延びる部分を称している。これら３６個のティース３２は円周方向に等間隔で配列されたものであり、相互に同一の四角柱状に設定されている。これら各ティース３２は巻線部に相当するものであり、各ティース３２の先端部には突部３４が形成されている。これら各突部３４は円周方向の幅寸法がティース３２の円周方向の幅寸法に比べて小さく設定され且つ軸方向の高さ寸法がティース３２の軸方向の高さ寸法と同一に設定されたものであり、各突部３４の円周方向の幅寸法は内周部から外周部へ向って大きくなるように設定されている。
【００１４】
ステータコア３１には、図４に示すように、３６個のボビン３５が形成されている。これら各ボビン３５はティース３２の表面を覆う四角筒状の部分を称するものであり、予め決められた１２個のティース３２のそれぞれにボビン３５の上からＵ相のコイル３６が巻装され、予め決められた別の１２個のティース３２のそれぞれにはボビン３５の上からＶ相のコイル３６が巻装され、残りの１２個のティース３２のそれぞれにはボビン３５の上からＷ相のコイル３６が巻装されている。これら各コイル３６は銅製のマグネットワイヤからなるものであり、電機子コイルに相当する。これら３６個のボビン３５のそれぞれには先端部に位置して鍔部３７が形成されている。これら各鍔部３７はボビン３５を取囲む四角環状の部分を称するものであり、各コイル３６は鍔部３７に接触することに基づいて外周部へ脱落することが防止されている。これら各鍔部３７にはホルダ部３８が形成されており、各ホルダ部３８は鍔部３７を取囲む四角筒状をなしている。
【００１５】
ステータコア３１には、図４に示すように、端板３９および端板４０が形成されている。端板３９はヨーク３３の軸方向の一端面を覆う円環状をなすものであり、端板４０はヨーク３３の軸方向の他端面を覆う円環状をなすものであり、３６個のボビン３５は端板３９および端板４０の双方を介して相互に連結されている。これら端板３９および端板４０には共通の筒壁４１が連結されている。この筒壁４１はヨーク３３の内周面を覆う円筒状をなすものであり、筒壁４１には、図５に示すように、複数の支持部４２が形成されている。これら各支持部４２はヨーク３３の内周部に突出するものであり、各支持部４２には貫通孔４３が形成され、各貫通孔４３内には、図４に示すように、ボルト４４が挿入されている。これら複数の支持部４２と筒壁４１と端板４０と端板３９と複数のホルダ部３８と複数の鍔部３７と複数のボビン３５はガラスを含有するＰＥＴ樹脂を材料とするものであり、成形型内にステータコア３１を収納した状態で材料を注入することに基づいてステータコア３１に一体化されている。
【００１６】
各ティース３２の先端部には、図３に示すように、圧粉コアに相当するヘッド部４５が固定されている。これら各ヘッド部４５は表面に絶縁が施された鉄粉を圧縮および固化してなる圧粉鉄心から構成されたものであり、磁路断面積が一定に設定されている。これら各ヘッド部４５の軸方向の高さ寸法（Ｂ＝１９ｍｍ）は、図４に示すように、ティース３２の軸方向の高さ寸法（Ａ＝１６ｍｍ）に比べて大きく設定されており、各ヘッド部４５の円周方向の幅寸法は、図３に示すように、ティース３２の円周方向の幅寸法に比べて大きく設定されている。これら各ヘッド部４５には軸方向へ直線的に延びる溝部４６が形成されている。これら各溝部４６は内周部から外周部へ向って円周方向の幅寸法が大きくなるアリ溝状をなすものであり、各ヘッド部４５はステータコア３１に複数のボビン３５〜複数の支持部４２を成形する前に溝部４６を軸方向からティース３２の突部３４に嵌合することに基づいてティース３２に連結され、複数のボビン３５〜複数の支持部４２の成形状態では、図４に示すように、ホルダ部３８内に収納されることに基づいて脱落防止されている。
【００１７】
水受槽３の後面には、図２に示すように、円板状をなすアルミニウム製のハウジング４７が接合されている。このハウジング４７は中央部に円筒状の軸受ブラケット４８を有するものであり、軸受ブラケット４８の内周面には軸方向の両端部のそれぞれに位置してラジアル軸受４９の外輪が接合されている。これら両軸受４９の内輪には共通の回転軸５が接合されており、回転軸５はハウジング４７に両軸受４９を介して回転可能に装着されている。このハウジング４７には軸受ブラケット４８の外周部に位置して取付部５０が形成されている。この取付部５０はハウジング４７のうち軸受ブラケット４８を除く残り部分に比べて軸方向の高さ寸法が大きな円環状の部分を称するものであり、ステータコア３１は複数のボルト４４のそれぞれを取付部５０に螺合することに基づいて水受槽３の後面に接合されている。
２．ロータ６０の説明
ロータ６０は、図２に示すように、ロータフレーム６１を有している。このロータフレーム６１は圧延鋼板を絞り加工することに基づいて形成されたものであり、上面が開口する円形容器状をなしている。このロータフレーム６１の中央部には円形状の開口部６２が形成されており、開口部６２はフレームカバー６３によって塞がれている。このフレームカバー６３はガラスを含有するＰＥＴ樹脂を材料とするものであり、成形型内にロータフレーム６１を収納した状態で材料を注入することに基づいてロータフレーム６１に一体化されている。このロータ６０は界磁子に相当するものである。
【００１８】
フレームカバー６３の中央部には、図２に示すように、円筒状のボス６４が固定されている。このボス６４は、図５に示すように、軸方向へ直線的に延びる複数の溝部６５が内周面に形成されたものであり、ボス６４の内周面には、図２に示すように、回転軸５の外周面が嵌合されている。この回転軸５の外周面には軸方向へ直線的に延びる複数の突部が形成されており、ボス６４は回転軸５の突部およびボス６４の溝部６５相互間が係合することに基づいて回転軸５に回転不能に連結されている。この回転軸５の先端部にはワッシャ付きのナット６６が螺合されており、ロータフレーム６１はナット６６およびボス６４相互間の締結力で回転軸５に軸方向へ移動不能に連結されている。
【００１９】
フレームカバー６３には、図５に示すように、ボス６４の外周部に位置して円周方向に等間隔で並ぶ複数のフィン６７が形成されている。これら複数のフィン６７のそれぞれはロータフレーム６１にフレームカバー６３を成形するときにフレームカバー６３と同時に成形されたものであり、ロータフレーム６１が回転軸５と一体的に回転することに基づいて各コイル３６にコイル３６を冷却するための冷却風を送風する。
【００２０】
ロータフレーム６１の内周面には、図６に示すように、円筒状のロータコア６８が接合されている。このロータコア６８は複数の珪素鋼板を軸方向へ積層することから構成されたものであり、各珪素鋼板の表面には絶縁層が形成されている。このロータコア６８の軸方向の一端面には、図７に示すように、端板６９が接合され、ロータコア６８の軸方向の他端面には端板７０が接合されている。これら端板６９および端板７０のそれぞれは表面に絶縁層が形成された珪素鋼板を材料とするものであり、ロータコア６８の端面に接触する円環状をなしている。これら端板６９および端板７０のそれぞれには内周側へ突出する４８個のチップ被覆部７１が一体形成されている。これら端板６９の４８個のチップ被覆部７１および端板７０の４８個のチップ被覆部７１のそれぞれは円周方向に等間隔で配列されたものであり、端板６９および端板７０のそれぞれは２個のチップ被覆部７１が軸方向に相互に対向するように配置されている。
【００２１】
端板６９の各チップ被覆部７１には、図６に示すように、磁極チップ７２の軸方向の一端面が接合されている。これら各磁極チップ７２は複数の珪素鋼板を軸方向へ積層することから構成されたものであり、各珪素鋼板の表面には絶縁層が形成されている。これら各磁極チップ７２の軸方向の他端面は、図７に示すように、残りの端板７０のチップ被覆部７１に接合されている。これら４８個の磁極チップ７２のそれぞれは端板６９および端板７０の両者を介してロータコア６８に連結されたものであり、ロータコア６８の内周面に空間状の磁石収納部７３を介して対向配置されている。これら磁極チップ７２相互間の隙間には、図５に示すように、スペーサ７４が介在されており、各磁極チップ７２は円周方向の両側に位置する両スペーサ７４によってずれ動きが防止されている。これら各スペーサ７４はガラスを含有するＰＥＴ樹脂を材料とするものであり、ロータフレーム６１にフレームカバー６３を成形するときにフレームカバー６３と同時に成形されている。
【００２２】
４８個の磁石収納部７３内のそれぞれには、図７に示すように、端板６９側の一端面から板状の永久磁石７５が挿入されている。これら各永久磁石７５は焼結ネオジウム磁石からなるものであり、各永久磁石７５の軸方向の高さ寸法Ｂは、図４に示すように、ティース３２の軸方向の高さ寸法Ａに比べて大きく且つヘッド部４５の軸方向の高さ寸法と同一に設定されている。これら各永久磁石７５の外周面には、図６に示すように、円周方向の中心部に位置して突部７６が形成されている。これら各突部７６は軸方向に沿って直線的に延びるものであり、溝部７７内に挿入されている。これら各溝部７７は端板６９の内周面およびロータコア６８の内周面の双方を貫通するように端板６９の内周面およびロータコア６８の内周面のそれぞれに形成されたものであり、各永久磁石７５は突部７６および溝部７７相互間が係合することに基づいて円周方向に位置決め、突部７６が位置決め部７８に接触することに基づいて軸方向に位置決めされている。これら各位置決め部７８は、図４に示すように、永久磁石７５を磁石収納部７３内に挿入するときに永久磁石７５の挿入開始側となる端板６９とは反対側の端板７０に形成されたものであり、溝部７７の内部空間を軸方向へ延長してなる延長領域内に突出している。
【００２３】
ロータフレーム６１には、図４に示すように、端板６９を覆う円環状のマグネットカバー７９および端板７０を覆う円環状のマグネットカバー８０が形成されている。マグネットカバー７９は各磁石収納部７３の軸方向の一端面を塞ぐものであり、マグネットカバー８０は各磁石収納部７３の軸方向の他端面を塞ぐものであり、各磁石収納部７３内の永久磁石７５はマグネットカバー７９およびマグネットカバー８０の双方によって磁石収納部７３内から脱落防止されている。これらマグネットカバー７９およびマグネットカバー８０のそれぞれはガラスを含有するＰＥＴ樹脂を材料とするものであり、ロータフレーム６１にフレームカバー６３を成形するときにフレームカバー６３と同時に成形されている。
【００２４】
端板６９の外周面とロータコア６８の外周面と端板７０の外周面には、図７に示すように、３者を軸方向に貫通する４８個の接合凹部８１が形成されている。これら各接合凹部８１内には、図４に示すように、接着層８２が形成されており、ロータコア６８はマグネットカバー７９とマグネットカバー８０と複数の接着層８２を介してロータフレーム６１に接合されている。これら各接着層８２はガラスを含有するＰＥＴ樹脂を材料とするものであり、ロータフレーム６１にフレームカバー６３を成形するときにフレームカバー６３と同時に成形されている。
【００２５】
上記実施例１によれば次の効果を奏する。
ステータコア３１として積層鋼板製のものを使用した。この積層鋼板の飽和磁束密度は永久磁石７５の磁気動作点の磁束密度に比べて高いので、永久磁石７５の軸方向の高さ寸法Ｂがティース３２の同方向の寸法Ａに比べて大きくても鎖交磁束の減少が抑えられる。このため、コイル３６の周長を短縮することができるので、銅損が低減される。しかも、圧粉鉄心製のヘッド部４５をステータ３０およびロータ６０相互間の空隙に接するようにティース３２の先端部に接合することに基づいてティース３２および永久磁石７５相互間に介在したので、ステータ３０およびロータ６０相互間の空隙部でティース３２および永久磁石７５が相互に同一寸法になる。このヘッド部４５は３次元的に概ね磁気等方性を有しているので、ステータコア３１の珪素鋼板相互間の積層面に対して垂直な方向の磁束がヘッド部４５を流れるようになり、磁束が大きく漏れることなく収束してステータコア３１に鎖交するようになる。このため、コイル３６の銅損に加えてステータコア３１の鉄損が低減されるので、総じてドラムモータ４の損失が最小限に抑えられる。
［実施例２］
ステータコア３１には、図８に示すように、圧粉鉄心製の３６個のヘッド部４５のそれぞれに換えてヘッド部５１が形成されている。これら各ヘッド部５１はティース３２と同一の積層鋼板からなるものであり、各ヘッド部５１の軸方向の高さ寸法はティース３２の軸方向の高さ寸法と同一値Ａに設定され、各ヘッド部５１の円周方向の幅寸法はティース３２の円周方向の幅寸法に比べて大きく設定されている。
【００２６】
ロータフレーム６１には積層鋼板製の４８個の磁極チップ７２のそれぞれに換えて圧粉鉄心製の磁極チップ８３が装着されており、各磁極チップ８３はステータ３０およびロータ６０相互間の空隙に接するようにロータ６０に接合されている。これら各磁極チップ８３は圧粉コアに相当するものであり、磁路断面積が一定に設定されている。これら各磁極チップ８３は端板６９のチップ被覆部７１および端板７０のチップ被覆部７１相互間に保持されたものであり、各磁極チップ８３の軸方向の高さ寸法はティース３２およびヘッド部５１のそれぞれの軸方向の高さ寸法に比べて大きく設定されている。
【００２７】
上記実施例２によれば次の効果を奏する。
圧粉鉄心製の磁極チップ８３をステータ３０およびロータ６０相互間の空隙に接するようにロータ６０に接合し、ティース３２および永久磁石７５相互間に介在したので、磁極チップ８３の内部でティース３２の軸方向の幅寸法Ａに近い幅に磁束が収束するようになる。このため、磁束が大きく漏れることなくティース３２に鎖交するようになるので、ドラムモータ４の損失が最小限に抑えられる。
［実施例３］
ロータ６０の各磁石収納部７３内には、図９に示すように、端板６９側の一端面から永久磁石８４が挿入されている。これら各永久磁石８４の外周面には突部７６が形成されており、各永久磁石８４は突部７６および溝部７７相互間が係合することに基づいて円周方向に位置決めされ、突部７６および位置決め部７８相互間が接触することに基づいて軸方向に位置決めされている。これら各永久磁石８４は積層鋼板製の磁極チップ７２に比べて軸方向の高さ寸法Ｂが大きく設定されたものであり、各永久磁石８４の一端部は磁石収納部７３内から突出している。これら各永久磁石８４の一端部はロータコア８５の内周面に対向配置されている。このロータコア８５は複数の珪素鋼板を軸方向に積層することから円環状に構成されたものであり、各珪素鋼板の表面には絶縁層が形成されている。このロータコア８５は端板６９に隣接するものであり、複数の接着層８２を介してロータフレーム６１の内周面に接合されている。
【００２８】
ロータ６０の各磁石収納部７３内には端板６９側の一端面から板状の圧粉鉄心８６が挿入されている。これら各圧粉鉄心８６は圧粉コアに相当するものであり、各圧粉鉄心８６の一端部は、図１０に示すように、磁石収納部７３内から突出している。これら各圧粉鉄心８６は、図９に示すように、界磁コア８７内に永久磁石８４よりもステータ３０側に位置するように埋め込まれたものであり、磁路断面積が一定に設定されている。この界磁コア８７はロータコア６８と４８個の磁極チップ７２とロータコア８５の集合体を称するものであり、各圧粉鉄心８６の軸方向の高さ寸法は永久磁石８４の軸方向の高さ寸法と同一値Ｂに設定されている。即ち、各永久磁石８４および各圧粉鉄心８６のそれぞれの軸方向の高さ寸法Ｂは、図９に示すように、ティース３２およびヘッド部５１のそれぞれの軸方向の高さ寸法Ａに比べて大きく設定されている。
【００２９】
上記実施例３によれば次の効果を奏する。
圧粉鉄心８６を界磁コア８７内に埋め込むことでティース３２および永久磁石８４相互間に介在した。このため、磁束が大きく漏れることなくティース３２に鎖交するようになるので、ドラムモータ４の損失が最小限に抑えられる。
【００３０】
上記実施例３においては、各永久磁石８４および各圧粉鉄心８６のそれぞれを磁石収納部７３の軸方向の一端面および他端面の双方から突出させても良い。
上記実施例１〜実施例３のそれぞれにおいては、ヘッド部４５と磁極チップ８３と圧粉鉄心８６のそれぞれの磁路断面積をステータ３０側が小さくなるように設定しても良い。
【００３１】
上記実施例１〜実施例３のそれぞれにおいては、本発明を乾燥機のドラムを回転操作するドラムモータに適用しても良い。
上記実施例１〜実施例３のそれぞれにおいては、本発明をインナーロータ形のＤＣブラシレスモータに適用しても良い。
【図面の簡単な説明】
【００３２】
【図１】実施例１を示す図（洗濯機の内部構成を示す断面図）
【図２】ドラムモータの全体構成を示す断面図
【図３】ステータコアの外観を示す斜視図
【図４】ヘッド部および永久磁石のそれぞれを拡大して示す断面図
【図５】ステータおよびロータの外観を示す斜視図
【図６】ロータの外観を一方の端板の除去状態で示す斜視図
【図７】ロータの外観を示す斜視図
【図８】実施例２を示す図４相当図
【図９】実施例３を示す図４相当図
【図１０】界磁コアの外観を示す斜視図
【符号の説明】
【００３３】
４はドラムモータ、６はドラム、３０はステータ（電機子）、３１はステータコア（電機子コア）、３２はティース（巻線部）、３６はコイル（電機子コイル）、４５はヘッド部（圧粉コア）、６０はロータ（界磁子）、７５は永久磁石、８３は磁極チップ（圧粉コア）、８４は永久磁石、８６は圧粉鉄心（圧粉コア）、８７は界磁コアを示している。
【図１】
2008245362.tif 000003
【図２】
2008245362.tif 000004
【図３】
2008245362.tif 000005
【図４】
2008245362.tif 000006
【図５】
2008245362.tif 000007
【図６】
2008245362.tif 000008
【図７】
2008245362.tif 000009
【図８】
2008245362.tif 000010
【図９】
2008245362.tif 000011
【図１０】
2008245362.tif 000012